(57)【要約】【課題】従来の宣伝・広告のマンネリ化状態を打破し、コマーシャル制作に要するコストを削減すると共に、消費者に広告対象商品のイメージを、強いインパクトで与え、購買意欲を起こさせる新規で有用な、新商品等の宣伝・広告及び販売方法を提供する。【課題を解決するための手段】宣伝・広告対象商品に適合するイメージをフィギュアＦとして制作し、人又は動物に宣伝・広告対象商品を直接又は間接的に装着又は並置し、商品の名称４又はブランド名、価格等の具体的内容と商品番号Ｎ、発売元ＳＰ、ホームページアドレスＨ等とコマーシャル・メッセージ等を文字、図柄等で表示し、これをデジタルカメラ又はビデオカメラ等で撮影又は撮像し、コマーシャルソング、商品セールスアピール等の他、フィギュアの台詞発生音等を収録し、前記撮影又は撮像された写真、映像とフィギュアＦの台詞発生音等をパソコン等を介し合成、編集してコマーシャルを制作し、宣伝・広告及び販売活動を店頭、新聞、雑誌、チラシ、ポスター等の印刷物、ＣＤ−ＲＯＭ、テレビＴＶ及びホームページＨＰ等を介してなす。【選択図】図２
2004326059.tif 000002
【特許請求の範囲】
【請求項１】
人又は動物が、直接又は間接的に使用又は飲食する、新商品等の宣伝・広告方法であって、
宣伝・広告対象商品に適合するイメージをフィギュアとして制作し、これに前記宣伝・広告対象商品を直接又は間接的に装着するか又は並置すると共に、
商品の名称又はブランド名、色彩、形状、価格等の具体的内容と商品番号、発売元、電話番号、ＦＡＸ番号、ホームページアドレス等とコマーシャル・メッセージ、商品セールスアピール等を文字、図柄等で表示し、
これを、デジタルカメラ又はビデオカメラ等で撮影又は撮像し、パソコン等を介し、その写真、映像等と文字、図柄等とを修正及び合成して編集し、
コマーシャルソング、ＢＧＭ、コマーシャル・メッセージ、商品セールスアピール等の他、フィギュアの台詞発生音、効果音等を収録し、
前記修正、合成し編集された写真、映像等とフィギュアの台詞発生音、効果音等を合成、編集してコマーシャルを制作し、
宣伝・広告及び販売活動を店頭、新聞、雑誌、チラシ、ポスター等の印刷物、ＣＤ−ＲＯＭ、テレビ及びホームページ等を介してなす、
ことを特徴とする、新商品等の宣伝・広告方法。
【請求項２】
前記フィギュアが、等身大、同寸大又は実物より縮小されていることを特徴とする、新商品等の宣伝・広告方法。
【請求項３】
前記商品が、服飾雑貨、被服、履物、運動用具、化粧品、飲食物、化粧用小物類、貴金属、宝飾品、雑貨類、インテリア用品、アウトドア用品、住宅、乗り物及び生活関連商品等であることを特徴とする、請求項１ないし請求項２記載の、新商品等の宣伝・広告方法。
【請求項４】
前記店頭、新聞、雑誌、チラシ、ポスター等の印刷物、ＣＤ−ＲＯＭ、テレビ等で知見したホームページアドレスにインターネットを介してアクセスした閲覧者が、その端末装置の画面上で、掲載された各種商品をクリックして選択し、前記フィギュアに自由に装着、変換可能としていることを特徴とする、請求項１ないし請求項３記載の、新商品等の宣伝・広告方法。
【請求項５】
顧客からの商品の受注手段が、有線及びインターネットを含む各種無線通信機器であることを特徴とする、請求項１ないし請求項４記載の新商品等の販売方法。
【請求項６】
新商品等の宣伝・広告時に、商品に関連する前記フィギュアを商品購入希望者に景品としてプレゼントすることを告知し、また、販売商品に添えてプレゼントすると共に、販促商品として頒布することを特徴とする、請求項１ないし請求項５記載の新商品等の宣伝・広告及び販売方法。
【発明の詳細な説明】
【０００１】
【発明の属する技術分野】本発明は、新商品等の宣伝・広告及び販売方法に関し、特には、フィギュア（マネキン人形を除く、人形、動物、建造物、乗り物等の模型をいう）を媒体として、宣伝・広告の訴求効果を高め、当該商品の売り上げ実績の向上を図る販売方法に関する。
【０００２】
【従来の技術】従来より、新商品等の発売にあたっての宣伝・広告にモデル、歌手、俳優、芸能人、プロスポーツ選手等をコマーシャルタレントとして起用することがある。しかしながら、人気のある有名モデルや歌手、俳優、芸能人、プロスポーツ選手等人気タレントのコマーシャル起用には各種の問題点がある。
【０００３】
【発明が解決しようとする課題】例えば、商品に適合するモデルの容姿、性格イメージ等を勘案した選定が重要課題となり、特に有名モデル、人気タレント等の起用には契約料が高額であり、さらに起用したモデルのスケジュール調整が困難となり、コマーシャルの撮影、カタログ制作等々が長期となるため、コスト高となるのみならず、発売日が決定できない等の不都合が派生する。また、従来の雑誌、新聞、ポスター等の印刷物、テレビ及びホームページ等による宣伝・広告は新鮮さがなくいわゆる、マンネリ化状態で、顧客に対し、対象商品についての購買意欲を起こさせないしたがって、売り上げも伸び悩む結果となっている。
【０００４】
本発明は、上記の問題点に鑑み、従来の宣伝・広告のマンネリ化状態を打破し、コマーシャル制作に要するコストを削減すると共に、消費者に広告対象商品のイメージを、強いインパクトで与えることによって、購買意欲を起こさせる、新規で有用な、新商品等の宣伝・広告及び販売方法を提供することを目的とする。
【０００５】
【課題を解決するための手段】本発明は、上記目的を達成するために、請求項１に記載の発明では、人又は動物が、直接又は間接的に使用又は飲食する、新商品等の宣伝・広告方法であって、宣伝・広告対象商品に適合するイメージをフィギュアとして制作し、これに前記宣伝・広告対象商品を直接又は間接的に装着するか又は並置すると共に、商品の名称又はブランド名、色彩、形状、価格等の具体的内容と商品番号、発売元、電話番号、ＦＡＸ番号、ホームページアドレス等とコマーシャル・メッセージ、商品セールスアピール等を文字、図柄等で表示し、これを、デジタルカメラ又はビデオカメラ等で撮影又は撮像し、パソコン等を介し、その写真、映像等と文字、図柄等とを修正及び合成して編集し、コマーシャルソング、ＢＧＭ、コマーシャル・メッセージ、商品セールスアピール等の他、フィギュアの台詞発生音、効果音等を収録し、前記修正、合成し編集された写真、映像等とフィギュアの台詞発生音、効果音等を合成、編集してコマーシャルを制作し、宣伝・広告及び販売活動を店頭、新聞、雑誌、チラシ、ポスター等の印刷物、ＣＤ−ＲＯＭ、テレビ及びホームページ等を介してなす、ことを特徴とする。
【０００６】
請求項２は、請求項１記載の新商品等の宣伝・広告及び販売方法において、前記フィギュアが、等身大、同寸大又は実物より縮小されていることを特徴とする。
【０００７】
請求項３は、請求項１ないし請求項２記載の新商品等の宣伝・広告及び販売方法において、前記商品が、服飾雑貨、被服、履物、運動用具、化粧品、飲食物、化粧用小物類、貴金属、宝飾品、雑貨類、インテリア用品、アウトドア用品、住宅、乗り物及び生活関連商品等であることを特徴としている。
【０００８】
請求項４は、請求項１ないし請求項３記載の新商品等の宣伝・広告及び販売方法において、前記店頭、新聞、雑誌、チラシ、ポスター等の印刷物、ＣＤ−ＲＯＭ、テレビ等で知見したホームページアドレスにインターネットを介してアクセスした閲覧者が、その端末装置の画面上で、掲載された各種商品をクリックして選択し、前記フィギュアに自由に装着、変換可能としていることを特徴としている。
【０００９】
請求項５は、請求項１ないし請求項４記載の新商品等の宣伝・広告及び販売方法において、顧客からの商品の受注手段が、有線及びインターネットを含む各種無線通信機器であることを特徴とする。
【００１０】
請求項５は、請求項１ないし請求項５記載の新商品等の宣伝・広告及び販売方法において、新商品等の宣伝・広告時に、商品に関連する前記フィギュアを商品購入希望者に景品としてプレゼントすることを告知し、また、販売商品に添えてプレゼントすると共に、販促商品として頒布することを特徴とする。
【００１１】
【発明の実施の形態】以下、本発明に係る、新商品等の宣伝・広告及び販売方法の好適な実施形態について図面を参照しながら説明する。図１は、その作動の流れを説明するフローチャートで、図２は、新聞、雑誌、ポスター等の印刷物又はＣＤ−ＲＯＭ等に掲載又は入力する、イメージ図で、Ｆは軟質の合成樹脂等を素材として制作されるフィギュアで、１、２、３は宣伝・広告対象の商品である。図３は、テレビコマーシャル用の画面ＴＶ、図４は、ホームページＨＰに掲載する画面で、図５はホームページＨＰに掲載する他の画面を示している。
【００１２】
図１に示すように、本発明に係る、新商品等の宣伝・広告及び販売方法は、メーカー又は発売元の宣伝・広告対象の新商品（以下商品という）の決定（Ｓ１）でスタートし、その商品のサンプルを提示された、広告会社等は、商品の販売ターゲット（対象者）を検討し、絞り込みと決定を行う（Ｓ２）。次にターゲットをイメージして（Ｓ３）デッサン・作図（Ｓ４）した後に、フィギュアＦを制作（Ｓ５）する。フィギュアＦの素材は、例えば、塩化ビニル等の軟質合成樹脂材、ゴム等の可塑剤、織布、木材、金属その他の素材で、制作を意図するフィギュアＦに適合するものから選択され、公知技術により制作される。つづいて、図２に示すように、フィギュアＦ（等身大又は縮小）に商品１、２、３を着用したものをデジタルカメラ又はビデオカメラ等で撮影又は撮像（Ｓ６）し、パソコン等を介して、その写真、映像等と文字、図柄等とを修正及び合成して編集（Ｓ７）し、さらにコマーシャルソング、ＢＧＭ、コマーシャル・メッセージ、商品セールスアピール等の他、フィギュアの台詞発生音、効果音等を収録（Ｓ８）し、前記撮影又は撮像された写真、映像とフィギュアの台詞発生音、効果音等を総合して編集してコマーシャルの制作を終了（Ｓ９）する。
【００１３】
デジタルカメラ等で撮影された写真（図２参照）を、新聞、雑誌、チラシ、ポスター等の印刷物に掲載（Ｓ１０）し、またＣＤ−ＲＯＭに取り込み、これを頒布（Ｓ１１）し、さらに、ビデオカメラ等で撮像した映像をテレビＴＶ放映（Ｓ１２）し、かつホームページＨＰの新商品コーナーに掲載（Ｓ１３）して、宣伝・広告活動を行い、顧客からの注文を端末装置、ＰＶＤ、携帯電話、ＦＡＸ、Ｅメール等各種の通信機器で受け付ける（Ｓ１４）。
【００１４】
上記のように、図２は、フィギュアＦに商品１、２、３を着用したものをデジタルカメラ等で撮影し、映像をカメラ又はパソコン等を介して文字、図形等を入力し修正、編集したイメージ図で、新聞、雑誌、チラシ、ポスター等の印刷物に掲載されるもので、枠内に商品の名称４又はブランド名、色彩、形状、価格等の具体的内容と商品番号Ｎ、発売元ＳＨ、電話番号Ｔ、ＦＡＸ番号ＦＸ、ホームページアドレスＨ等が記載されている。
【００１５】
図３は、テレビによる宣伝・広告画面で、美人モデルに似せて制作したフィギュアＦと新商品のアミノ酸系飲料１’、２’、３’をデジタルカメラ又はビデオカメラ等で撮影又は撮像し、その映像と別途撮影した商品や台詞、コマーシャルメッセージ、価格等の文字、図柄等をパソコンに入力して合成し、あたかも美人モデルが発声しているようなコマーシャルシーンが流れる。
【００１６】
図４は、デジタルカメラ又はビデオカメラ等で撮像された、ホームページでの画面で、映像をカメラ又はパソコン等を介して文字、図形等を入力し修正、編集したもので、画面の上欄にはホームページの掲載者名１０、商品ジャンル１１、１２、１３及び１４が表示されている。この画面での商品は、１０代〜２０代の女性をターゲットにしたカジュアル用品１１等で、具体的にはフィギュアＦはサマーハット５、ショルダーバッグ６、スニーカー７、Ｔシャツ８、スカート９を装着しており、それぞれ商品毎にそのカラー、サイズ、価格等が表示されている。ホームページの閲覧者（顧客）、は、自己の端末装置を介してこの画面に表示された商品例えば、サマーハット５を他の商品と変換したいときは、その近傍に設けられた枠内のクリックＡをチェックすると、別ページに掲載している商品群（不図示）が表示され、閲覧者（顧客）はその中から商品を選択し、これと変換し、画面上で装着（貼付）できる。またショルダーバッグ６を他の商品と変換したいときは、その近傍に設けられた枠内のクリックＢをチェックすると、別ページに掲載している商品群（不図示）が表示され、その中から選択し、これと変換し、画面上で装着（貼付）でき、以下同様に、スニーカー７はクリックＣ、Ｔシャツ８はクリックＤ、スカート９はクリックＥをそれぞれチェックすると、別ページに掲載している商品を順次変換し、装着（貼付）できるようになっている。
【００１７】
画面上欄のｆｏｒｍａｌ  ｗｅａｒ１２をクリックすると別ページに掲載しているフォーマルウェアの商品群（不図示）が表示され、ｉｎｎｅｒ１３をクリックすると別ページに掲載している室内着がが表示され、ｆｏｒ  ｐｅｔ１４をクリックすると、図５の画面が表示される。
【００１８】
図５は、若い女性とそのペットである犬をフィギュアＦとして制作し、映像をカメラ又はパソコン等を介して文字、図形等を入力し修正、編集した画面でその関連商品を掲載して宣伝・広告するもので、５’はサンバイザー、６’はドギーバッグ、８’はＴシャツ、１５はペット用のおもちゃのボール、１６は首輪で、それぞれ商品毎に簡単な商品説明とカラー、サイズ、価格等が表示されている。ホームページの閲覧者（顧客）は、この画面に表示された商品例えば、おもちゃのボール１５を他の商品と変換したいときは、その近傍に設けられた枠内のクリックＧをチェックすると、別ページに掲載している商品群（不図示）が表示され、閲覧者（顧客）はその中から商品を選択し、これと変換し、画面上で装着（貼付）できる。また首輪を他の商品と変換したいときは、その近傍に設けられた枠内のクリックＨをチェックすると、別ページに掲載している商品選択し、これと変換し、画面上で装着（貼付）できる。
【００１９】
【発明の効果】
本発明に係るシステムは、上記の構成をもつてなるから以下の効果を奏する。即ち、有名モデル、人気タレント等を起用しないで、商品に適合するフィギュアＦによるコマーシャル制作であるために、▲１▼高額なモデル料が不要で、スケジュール通りカタログ制作が短期間に完成するので、大巾なコスト削減が可能である。▲２▼従来の宣伝・広告のマンネリ化状態を打破し、顧客に広告対象商品のイメージを、強いインパクトで与え、購買意欲を起こさせる。▲３▼ホームページの画面上で、顧客はゲーム感覚で商品を選択し、画面上で装着（貼付）でき、関連商品についても購買意欲を起こさせると共に、商品を購入すれば、関連するフィギュアＦを貰えるので、各種商品の売り上げに相乗効果をもたらす。
【図面の簡単な説明】
【図１】本発明に係る、新商品等の宣伝・広告及び販売方法の作動の流れを説明するフローチャートである。
【図２】同新聞、雑誌、ポスター等の印刷物又はＣＤ−ＲＯＭ等に掲載又は入力するイメージ図である。
【図３】同テレビコマーシャル用の画面である。
【図４】同ホームページに掲載する画面である。
【図５】同ホームページに掲載する画面である。
【符号の説明】
Ｆ                            フィギュア
ＴＶ                          テレビ画面
ＨＰ                          ホームページ画面
Ｈ                            ホームページアドレス
Ｎ                            商品番号
ＳＨ                          発売元
１、２、３                    商品
４                            商品の名称
５                            サマーハット
６                            ショルダーバッグ
７                            スニーカー
８                            Ｔシャツ
９                            スカート
１０                          ホームページの掲載者名
１１、１２、１３、１４        商品ジャンル
Ａ、Ｂ、Ｃ、Ｄ、Ｅ、Ｇ、Ｈ    クリック
【図１】
2004326059.tif 000003
【図２】
2004326059.tif 000004
【図３】
2004326059.tif 000005
【図４】
2004326059.tif 000006
【図５】
2004326059.tif 000007